(57)【要約】【課題】スキャナ部を用いた画像形成装置において、簡易な構成で原稿を原稿台に密着させることができ、影等が少ない美しい読み取り結果を得ることができる。【解決手段】画像形成装置１は、記録紙に画像を形成する画像形成部と、原稿を読み取る機能を有するスキャナ部とを備え、筐体の前面には、凸部１３が形成されている。スキャナ部は、原稿台３ａを有し、スキャナ部の上部には、原稿台３ａの上面を覆うスキャナリッド（以下、リッドという）１１が設けられている。リッド１１の下面には、可撓性と所定量撓む厚さとを有するパッド１１ａが取り付けられ、リッド１１の前面には、フック１２が形成されている。リッド１１が閉状態のとき、ユーザはパッド１１ａを原稿Ｐに押さえ付けると共にフック１２を凸部１３に係止させる。このとき、パッド１１ａが撓み、その反力が原稿Ｐにかかるため、原稿Ｐはパッド１１ａと原稿台３ａとの間に挟まれる。【選択図】図３
2008152053.tif 000002
【特許請求の範囲】
【請求項１】
筐体と、
前記筐体の下部に配置され、記録紙に画像を形成する画像形成部と、
前記筐体の上部に配置され、略矩形形状の原稿台上に載置された原稿を画像データとして読み取る機能を有するスキャナ部と、
前記筐体の上部に配置され、装置を操作するためにユーザにより操作される操作ボタンと、
前記筐体の背面に配置され、前記画像形成部に搬送される記録紙がセットされる給紙トレイと、
前記筐体の前面に配置され、前記画像形成部により画像が形成された記録紙が排出される排紙トレイとを備え、
前記スキャナ部の上部に、前記原稿台の上面を覆うような大きさのスキャナリッドが設けられ、
前記スキャナリッドの下面の前記原稿台に対応する位置には、可撓性と所定量撓む厚さとを有するパッドが取り付けられ、
前記スキャナリッドは、略水平な閉状態のとき、前記原稿台の上面を覆い、原稿を該原稿台と前記パッドとの間で挟むことにより、原稿を該原稿台に密着させるように配置されている画像形成装置において、
前記スキャナリッドの前面に、フックが形成され、
前記筐体の前面に、前記フックが係止される凸部が形成され、
前記スキャナリッドが閉状態のときに、
前記フックが前記凸部に係止され、前記パッドが撓むことにより前記原稿を上から押し付けることにより、簡易な構成で該原稿を前記原稿台に確実に密着させることができ、影等が少ない美しい画像を読み取ることができることを特徴とする画像形成装置。
【請求項２】
筐体と、
前記筐体の下部に配置され、記録紙に画像を形成する画像形成部と、
前記筐体の上部に配置され、略矩形形状の原稿台上に載置された原稿を画像データとして読み取る機能を有するスキャナ部とを備え、
前記スキャナ部の上部に、前記原稿台の上面を覆うような大きさのスキャナリッドが設けられ、
前記スキャナリッドの下面の前記原稿台に対応する位置には、可撓性部材が取り付けられ、
前記スキャナリッドは、略水平な閉状態のとき、前記原稿台の上面を覆い、原稿を該原稿台と前記可撓性部材との間で挟むことにより、原稿を該原稿台に密着させるように配置されている画像形成装置において、
前記スキャナリッドの前面に、フックが形成され、
前記筐体の前面に、前記フックが係止される係止部が形成され、
前記スキャナリッドが閉状態のときに、前記フックが前記係止部に係止されることを特徴とする画像形成装置。
【請求項３】
前記スキャナリッドが閉状態のときに、
前記可橈性部材は、所定量撓む厚さを有していることを特徴とする請求項２に記載の画像形成装置。
【発明の詳細な説明】
【技術分野】
【０００１】
本発明は、原稿台上に載置された原稿を画像データとして読み取る機能を有するスキャナ部を用いた画像形成装置に関する。
【背景技術】
【０００２】
従来から、例えばＣＩＳ（Contact Image Sensor）等を用いて原稿台上に載置された原稿を画像データとして読み取るスキャナ部が搭載された複写機等の画像形成装置が用いられている。このようなスキャナ部においては、原稿を鮮明に読み取るために、原稿を原稿台の所定の位置に載置し、例えば筐体の上面に設けられたスキャナリッド（以下、リッドという）を用いて、載置した原稿の上方から原稿を原稿台に押さえ付け、原稿を原稿台に密着させた状態で原稿の読み取りが行われる。しかし、折しわやカールのある原稿の場合、原稿を原稿台にうまく密着させることができず、読み取った画像内の原稿台から浮いている部分がぼやけてしまうなど、読み取った画像データが不鮮明になることがある。
【０００３】
これに対して、特許文献１には、リッドの端部に吸盤が設けられ、原稿を原稿台に載置し、リッドを閉じたときに、リッドと筐体とが吸着して、リッドが原稿を上から押すことにより、原稿を原稿台に密着させる従来のスキャン部を用いた画像形成装置が開示されている。しかし、この画像形成装置では、吸盤の吸着力が弱まった場合、原稿を原稿台に密着できないという問題がある。また、特許文献２には、リッドの端部に巻取り式ばねが設けられ、このばねと筐体に設けられた係止部とを係止し、ばねがリッドを引っ張ることにより原稿を原稿台に密着させる従来のスキャン部を用いた画像形成装置が開示されている。しかし、この画像形成装置では、ばねの張力が弱まった場合、原稿を原稿台に密着できないという問題がある。
【０００４】
また、特許文献３には、原稿を覆うシートの一端を筐体に係止し、他端を、筐体内部に設けられた巻き取り部が巻き取ることにより、シートに収縮力が生じ、このシートが原稿を上から押すことにより、原稿を原稿台に密着させる従来のスキャン部を用いた画像形成装置が開示されている。しかし、この画像形成装置では、筐体内に巻き取り部を設ける必要があるため、画像形成装置の構成が複雑になるという問題がある。
【特許文献１】特開２００１−１５４２９０号公報
【特許文献２】特開平５−１１３６５号公報
【特許文献３】特開平１０−３２２４８２号公報
【発明の開示】
【発明が解決しようとする課題】
【０００５】
本発明は、上記従来の問題を解決するためになされたものであり、簡易な構成でありながら原稿を原稿台に密着させることができ、影等が少ない美しい読み取り結果を得ることが可能であるスキャナ部を用いた画像形成装置を提供することを目的とする。
【課題を解決するための手段】
【０００６】
上記目的を達成するために請求項１の発明は、筐体と、前記筐体の下部に配置され、記録紙に画像を形成する画像形成部と、前記筐体の上部に配置され、略矩形形状の原稿台上に載置された原稿を画像データとして読み取る機能を有するスキャナ部と、前記筐体の上部に配置され、装置を操作するためにユーザにより操作される操作ボタンと、前記筐体の背面に配置され、前記画像形成部に搬送される記録紙がセットされる給紙トレイと、前記筐体の前面に配置され、前記画像形成部により画像が形成された記録紙が排出される排紙トレイとを備え、前記スキャナ部の上部に、前記原稿台の上面を覆うような大きさのスキャナリッドが設けられ、前記スキャナリッドの下面の前記原稿台に対応する位置には、可撓性と所定量撓む厚さとを有するパッドが取り付けられ、前記スキャナリッドは、略水平な閉状態のとき、前記原稿台の上面を覆い、原稿を該原稿台と前記パッドとの間で挟むことにより、原稿を該原稿台に密着させるように配置されている画像形成装置において、前記スキャナリッドの前面に、フックが形成され、前記筐体の前面に、前記フックが係止される凸部が形成され、前記スキャナリッドが閉状態のときに、前記フックが前記凸部に係止され、前記パッドが撓むことにより前記原稿を上から押し付けることにより、簡易な構成で該原稿を前記原稿台に確実に密着させることができ、影等が少ない美しい画像を読み取ることができるものである。
【０００７】
請求項２の発明は、筐体と、前記筐体の下部に配置され、記録紙に画像を形成する画像形成部と、前記筐体の上部に配置され、略矩形形状の原稿台上に載置された原稿を画像データとして読み取る機能を有するスキャナ部とを備え、前記スキャナ部の上部に、前記原稿台の上面を覆うような大きさのスキャナリッドが設けられ、前記スキャナリッドの下面の前記原稿台に対応する位置には、可撓性部材が取り付けられ、前記スキャナリッドは、略水平な閉状態のとき、前記原稿台の上面を覆い、原稿を該原稿台と前記可撓性部材との間で挟むことにより、原稿を該原稿台に密着させるように配置されている画像形成装置において、前記スキャナリッドの前面に、フックが形成され、前記筐体の前面に、前記フックが係止される係止部が形成され、前記スキャナリッドが閉状態のときに、前記フックが前記係止部に係止されるものである。
【０００８】
請求項３の発明は、請求項２に記載の画像形成装置において、前記スキャナリッドが閉状態のときに、前記可撓性部材は、所定量撓む厚さを有しているものである。
【発明の効果】
【０００９】
請求項１の発明によれば、スキャナリッドが閉状態のときに、フックが凸部に係止され、パッドが撓むことにより原稿を上から原稿台に押し付けることにより、原稿を原稿台に確実に密着させることができる。そのため、簡易な構成でありながら影等が少ない美しい画像を読み取ることができる。
【００１０】
請求項２の発明によれば、スキャナリッドが閉状態のときに、フックが係止部に係止されるので、可撓性部材が撓むことにより原稿を上から原稿台に押し付け、原稿を原稿台に確実に密着させることができる。そのため、簡易な構成でありながら影等が少ない美しい画像を読み取ることができる。
【００１１】
請求項３の発明によれば、請求項２の発明と同様の効果を得ることができる。
【発明を実施するための最良の形態】
【００１２】
以下、本発明の一実施形態に係るスキャナ装置を用いた画像形成装置について、図面を参照して説明する。図１は、画像形成装置１の外観構成を示し、図２は、スキャナ部３のスキャナリッド（以下、リッド）１１を開いた状態を示す。画像形成装置１は、いわゆるプリンタ複合機であり、樹脂製の筐体１０の下部に配置され、記録紙に画像を形成する画像形成部２と、筐体１０の上部に配置され、原稿を画像データとして読み取る機能を有するスキャナ部３と、筐体１０の上部に配置され、画像形成装置１を操作するためにユーザにより操作される操作ボタン４とを備える。
【００１３】
また、画像形成装置１は、筐体１０の背面に配置され、画像形成部２に搬送される記録紙（図示せず）がセットされる給紙トレイ１５と、筐体１０の前面に配置され、画像形成部２により画像が形成された記録紙が排出される排紙トレイ１６とをさらに備え、筐体１０の前面には、後述するフック１２が係止される凸部（係止部）１３が形成されている。
【００１４】
画像形成部２は、給紙トレイ１５に装填された記録紙を筐体１０の内部に搬送して排紙トレイ１６に排出させる記録紙搬送部（図示せず）を有する。画像形成部２の画像形成機能は、スキャナ部３により読み取られた画像データ、又は外部から入力された画像データに基づいて、筐体１０の内部に搬送された記録紙上に、例えばインクジェット方式により画像を形成する。なお、画像形成部２は、例えばレーザビームプリンタのような電子写真方式により画像を形成するものであってもよく、特定の方式に限られるものではない。
【００１５】
スキャナ部３は、図２に示すように、原稿（図示せず）が載置される略矩形形状の原稿台３ａと、原稿台３ａの内面に接するように配置され、例えばＣＩＳ（Contact Image Sensor）等のスキャンユニット（図示せず）と、スキャンユニットを原稿台３ａの長手方向に移動させるモータ等を有する駆動機構（図示せず）とを有し、スキャナ部３の上部には、原稿台３ａの上面を覆うような大きさのリッド１１が設けられている。スキャナ部３は、スキャンユニットを、駆動機構により原稿台３ａの内面に沿って移動させ、原稿を走査させてスキャン機能を実行する。
【００１６】
リッド１１は、筐体１０の上面の後端部近傍部位で、左右２箇所に配置されたヒンジ部２０によって回動可能に設けられている。リッド１１の下面の原稿台３ａに対応する位置には、可撓性と所定量撓む厚さとを有するスポンジ等から成るパッド（可撓性部材）１１ａが取り付けられ、リッド１１の前面には、フック１２が形成されている。ユーザは、リッド１１の前端部近傍を上下方向に変位させることにより、リッド１１を筐体１０に対して回動させ、原稿台３ａに原稿を密着させることができる略水平状態である閉状態から、原稿台３ａを外部に露出させる開状態にすることができる。リッド１１は、閉状態のとき、原稿台３ａの上面を覆い原稿を原稿台３ａとパッド１１ａとの間に挟むことにより、原稿を原稿台３ａに密着させ、原稿を原稿台３ａ上で動かないように保持することができるように配置されている。
【００１７】
次に、リッド１１の閉状態について、図３を参照して説明する。図３（ａ）は、フック１２を凸部１３に係止する前状態のリッド１１近傍の側断面を示し、（ｂ）は、フック１２を凸部１３に係止した状態のリッド１１近傍の側断面を示す。ユーザはスキャナ機能を実行して原稿を読み取るときに、リッド１１を閉状態にする。まず、ユーザが、原稿台３ａ上に原稿Ｐを載置し、リッド１１を筐体１０に対して回動させ、図３（ａ）に示すように、リッド１１を略水平状態となるように回動させる。そして、ユーザは、図３（ｂ）に示すように、パッド１１ａを原稿Ｐに押さえ付けると共にフック１２を凸部１３に係止させる。このとき、パッド１１ａが撓み、その反力が原稿Ｐにかかるため、原稿Ｐはパッド１１ａと原稿台３ａとの間に挟まれることにより、原稿台３ａに密着し、原稿台３ａ上で動かないように保持される。
【００１８】
リッド１１を閉状態から開状態にする場合、ユーザは、フック１２の先端部を、フック１２の外側に押し開くようにし、フック１２と凸部１３との係止を解除する。フック１２と凸部１３との係止が解除されると、パッド１１ａの可撓性復元力により、リッド１１が、図３（ａ）に示す状態に戻るため、ユーザは、リッド１１を筐体１０に対して回動させることにより開状態にすることができる。
【００１９】
上記のように、本実施形態に係る画像形成装置１においては、リッド１１が閉状態のときに、フック１２が凸部１３に係止され、パッド１１ａが撓むことにより原稿を上から原稿台３ａに押し付けることにより、原稿を原稿台３ａに確実に密着させることができる。そのため、簡易な構成でありながら影等が少ない美しい画像を読み取ることができる。従って、原稿が載置されていない部位が影のように読み取られることがなく、美しい読み取り結果を得ることが可能となる。
【００２０】
また、このように読み取られた画像データに基づいて、画像形成部２が記録紙に画像を形成する際には、影のように読み取られた部位が少ないことから、インクやトナー等が浪費されることがなくなる。
【００２１】
なお、本発明は上記実施形態の構成に限定されるものではなく、発明の趣旨を変更しない範囲で適宜に種々の変形が可能である。例えば、本発明は、上述したような画像形成部２とスキャナ部３とを一体に有する画像形成装置１のみに適用されるものではなく、例えば、スキャナ部２をスキャナ装置単体として用いて、スキャナ装置の筐体の前面に凸部を設け、リッドを閉状態にしたときに、リッドの前面に形成されたフックと凸部を係止させるものであってもよい。また、本発明は、筐体１０の前面に形成された凸部１３にフック１２を係止させる例を示したが、これに限られず、例えば、筐体１０の前面に孔を形成し、この孔にフック１２を係止させるものであってもよい。
【図面の簡単な説明】
【００２２】
【図１】本発明の一実施形態に係る画像形成装置を示す斜視図。
【図２】上記画像形成装置のスキャナ部を示す斜視図。
【図３】（ａ）（ｂ）は、上記スキャナ部のリッドの閉状態を示す側断面図。
【符号の説明】
【００２３】
１  画像形成装置
２  画像形成部
３  スキャナ部
３ａ  原稿台
４  操作部
１０  筐体
１１  スキャナリブ（リブ）
１１ａ  パッド（可撓性部材）
１２  フック
１３  凸部（係止部）
Ｐ  原稿
【図１】
2008152053.tif 000003
【図２】
2008152053.tif 000004
【図３】
2008152053.tif 000005